Podtech/llm-jp-corpus-v4-ja_patent huggingface dataset:
(57)【要約】      （修正有）【課題】おろし器として使えるととも、おろし器に設けた蓋を調理容器として使え、またおろし器に設けた蓋と受け皿とを保存容器として使える、利用範囲が広く、多機能に使える大根等のおろし器を提供する。【解決手段】おろし部２と受け皿部３と蓋１から成るおろし器において、好みの形状のおろし器に、その形状に合わせた形状でシリコンの蓋１を設け、その蓋１を利用してそれぞれ単体として使用、または組み合わせての使用が可能な、単体でレンジを使った調理用容器として利用な構成とする。【選択図】図１
2017209472.tif 000002
【特許請求の範囲】
【請求項１】
好みの形状のおろし器に、その形状に合わせた形状でシリコンの蓋を設け、その蓋を利用してそれぞれ単体として使用、または組み合わせての使用が可能な、単体でレンジを使った調理用容器として利用することを特徴とするおろし器。
【発明の詳細な説明】
【技術分野】
【０００１】  本発明は、シリコンの蓋付きにより、多機能に使えるおろし器に関するものである。
【背景技術】
【０００２】  従来、おろし器は組み合せができず、用途が限られた発明が知られている。
【特許文献１】特開２０１３−５２２０９
【特許文献２】特開２０１１−２０６５００
【特許文献３】特表２０１１−４１０
【発明の開示】
【発明が解決しようとする課題】
【０００３】  そのために次のような問題点があった。
（イ）用途が限られており、利用範囲が狭い。
（ロ）単体のため組合せができない。
本発明は以上の問題点を解決しようとするものである。
【課題を解決するための手段】
【０００４】  おろし部と受け皿部と蓋から成るおろし器において、好みの形状のおろし器にその形状に合わせた形状でシリコンの蓋を設け、その蓋は単体でレンジを使った調理用容器としてとして利用する。
以上を特徴とするおろし器である。
【発明の効果】
【０００５】（イ）シリコンの蓋に、卵やホットケーキの粉を溶いて流し込み、レンジで温めるとかわいい調理用容器として使える。
（ロ）おろし部の上に蓋があるので、衛生的である。
（ハ）かわいい系の形状のシリコンの蓋は、大根等をおろした後そのままで器に使える。
（ニ）蓋付きなので、冷蔵庫で保存するタッパーとしても使える。
（ホ）本体の形状により、手にフィットするので、りんご等をおろし易い。
（ヘ）お年を召された方や小さいお子様に、食べやすい調理用容器として使える。
（ト）蓋付きおろし器その物は、電池や電気がいらないので、自然災害時に役に立つ。
（チ）多機能で利用範囲が広く、置いてあるだけでかわいい。
（リ）実用性があり、見た目がかわいいので、台所で調理するのが楽しくなる。
【発明を実施するための最良の形態】
【０００６】  以下、本発明の実施の形態を説明する。おろし器の一例として、ハート型の蓋付きの大根等のおろし器を用いて説明する。
（イ）おろし部（２）と受け皿部（３）に蓋（１）を設ける。
（ロ）蓋（１）おろし部（２）受け皿部（３）の順に収納する。
本発明は、以上のような構造よりなっている。
これを使用する時は、ＴＰＯに合わせておろし部（２）と受け皿部（３）のみ、または蓋（１）を利用して、様々な調理用容器として使用も可能である。これにより利用範囲が広く、多機能で実用的な効果が得られる。
【図面の簡単な説明】
【０００７】
【図１】本発明の斜視図
【図２】本発明の一部である蓋の斜視図
【図３】本発明の一部であるおろし部の斜視図
【図４】本発明の一部である受け皿部の斜視図
【符号の説明】
【０００８】１  蓋
２  おろし部
３  受け皿部
【図１】
2017209472.tif 000003
【図２】
2017209472.tif 000004
【図３】
2017209472.tif 000005
【図４】
2017209472.tif 000006
(57)【要約】【課題】タオルで汗や、汚れを拭うとき、タオル全面を使うため汚れは、全面に付着し２回３回と使っていくうち汚れも増して不潔なタオルになっていき清潔な面を確保するのは不可能だった。本発明は、タオルを効果的に使用する分離タオルを提供する。【解決手段】分離テープの中心上下部に切り目を設け、手前に折り返したタオル生地の縁内側に、分離テープを設ける。タオル生地の縁どおしを分離テープでつなぎ下辺部に手を入れる口を設ける。【選択図】図３
2017209476.tif 000002
【特許請求の範囲】
【請求項１】
生地どおしを、つないだり分離したりする分離テープの、中心上下部に切り目を設けた分離テープ
【請求項２】
手前に折り返したタオル生地の縁内側に、分離テープを設け、タオル生地の縁どおしを分離テープでつなぎ、タオル生地下辺部に手を入れる口を設けた分離タオル。
【発明の詳細な説明】
【技術分野】
【０００１】本発明は、タオルをより効果的に使用するタオルに関するものである。
【背景技術】
【０００２】従来、タオルを使用するとき、タオル全面を使って汗や汚れを拭っていた。
【発明の開示】
【発明が解決しようとする課題】
【０００３】タオルで汗や汚れを拭うとき、タオル全面を使うため汚れは、全面に付着し、２回３回と使っていくうち汚れも増して不潔なタオルになっていき、清潔な面を確保するのは不可能だった。
本発明は以上の問題点を解決するためになされたものである。
【課題を解決するための手段】
【０００４】分離テープの中心上下部に切り目を設け、手前に折り返したタオル生地の縁内側に分離テープを設ける。タオル生地の縁どおしを、分離テープでつなぎ、下辺部に手を入れる口を設ける。
以上の構成よりなる分離タオル。
【発明の効果】
【０００５】従来不可能とされていたタオル生地を、本発明によりカットできることを可能にし、分離されたタオルを使用することで、残ったタオルは、きれいな状態にある。又、カットして分けあうこともでき、水の使えない状態では、清潔なタオルを確保する必要がある。本発明は、ハンカチやガーゼなどにも応用できる。小さく分離でき、手が入る口もあるのでスキンケアもしやすい。
【発明を実施するための最良の形態】
【０００６】以下本発明の実施の形態を説明する。
（イ）分離テープ（１）の中心上下部に切り目（２）を設ける。
（ロ）手前に折り返したタオル生地（１Ａ）の縁（３）内側（４）に分離テープ（１）を設ける。
（ハ）タオル生地（１Ａ）（１Ｂ）（１Ｃ）の縁（３）を分離テープ（１）でつなぎ、タオル生地下辺部に手を入れる口（５）を設ける。
本発明は以上のような構造である。
本発明を使用するときは、分離テープ（１）の切れ目（２）を左右に引張れば分離テープ（１）の中心が上下に真直ぐにカットされて分離し、分離タオルとして使用する。
【図面の簡単な説明】
【０００７】
【図１】本発明の斜視図
【図２】本発明の組み合せ前の斜視図
【図３】本発明の組み合せた状態の斜視図
【図４】本発明の分離状態の斜視図
【図５】本発明の使用状態を示す斜視図
【符号の説明】
【０００８】（１）分離テープ  （２）切り目  （３）縁  （４）縁内側  （５）手を入れる口
（６）手  （１Ａ）分離タオル生地  （１Ｂ）タオル生地  （１Ｃ）タオル生地
【図１】
2017209476.tif 000003
【図２】
2017209476.tif 000004
【図３】
2017209476.tif 000005
【図４】
2017209476.tif 000006
【図５】
2017209476.tif 000007
(57)【要約】      （修正有）【課題】屋内でのムカデの駆除は殺虫剤が用いられたが、殺虫剤が効く前にムカデが逃走してしまうことや、殺虫剤によって部屋が汚れてしまう難点が有ったので、殺虫剤以外の手段でのムカデ駆除を提供する。【解決手段】先端部にゴム製の滑り止め３を設けた、トング（挟み器具）状の捕獲器具で、ムカデの捕獲除去を行う。【選択図】図１
2017209096.tif 000002
【特許請求の範囲】
【請求項１】
先端部にゴム製の滑り止めを設けたことを特徴とする、トング（挟み器具）状の捕獲器具。
【発明の詳細な説明】
【技術分野】
【０００１】  この発明は、ムカデの捕獲除去に用いる器具に関する。
【背景技術】
【０００２】  従来の屋内でのムカデ駆除は、殺虫剤が主に用いられたものである。
【発明の概要】
【発明が解決しようとする課題】
【０００３】  しかしながら、以上の技術によれば、殺虫剤が効く前にムカデが逃走してしまう事や、殺虫剤によって部屋が汚れてしまう事が有った。
そこで、この発明は、殺虫剤以外のムカデ駆除を提供する事を課題とする。
【課題を解決するための手段】
【０００４】  以上の課題を解決するために、第一発明は、先端部にゴム製の滑り止めを設けたトング（挟み器具）状の捕獲器具である。
【発明の効果】
【０００７】  第一発明によれば、トング（挟み器具）状の捕獲器具の先端部にゴム製の滑り止めを設けた事により、ムカデを挟んだ時に、確実に捕獲し、ムカデの逃走を防ぐ。
【図面の簡単な説明】
【図１】この発明の一実施形態を示す斜視図である。
【発明を実施するための形態】
【０００８】  この発明の一実施形態を、図１に示す。
トング（挟み器具）状の本体は、一対の挟片部材１を有す。挟片部材１の取っ手側末端同士が接続されていて、そこを起点とし、スプリング２でＶ字形に広がった物。取っ手を握れば、挟片部材の先端部分同士がぴったり重なり、手を緩めるとＶ字に戻る。挟片部材の先端部分の内側に、ゴム製の滑り止め３を取り付けた挟み器具。
【符号の説明】
【０００９】１  挟片部材              ２  スプリング
３  ゴム製の滑り止め
【図１】
2017209096.tif 000003
(57)【要約】【課題】従来の小動物飼育ケージは、床面がプラスチック等の底がある構造となっている。しかしながら、定期的に清掃ができない場合、また定期的に清掃をしていても気密性の高い室内で飼育する場合、ケージ内の小動物等の排せつ物等の悪臭が発生する。また、ハムスター等は本来地下に巣を作り生活する習性をもつが、プラスチック等の底があるため地下に巣穴を掘ることができない。【解決手段】観葉植物等の植木鉢の上部に、底のない丸い飼育ケージを設置する。それにより、小動物の排せつ物等の有機物は速やかに土壌微生物により分解され、悪臭の発生が抑えられるとともに、清掃・除去の必要性がなくなる。飼育ケージの上部の穴から植物は上部に生育できる。また、土壌の上部に敷材（木材チップなど）を厚く敷きつめることで、ハムスター等の地下に巣穴を作る習性をもつ小動物用に地下巣穴を設置もできる。【選択図】図１
2017209094.tif 000002
【特許請求の範囲】
【請求項１】
観葉植物等の植物の生えている植木鉢の上部に設置でき、植物が上部の穴から上に生育できるようにした小動物を飼育する底のない飼育ケージ。
【発明の詳細な説明】
【技術分野】
【０００１】  本発明は、  資源循環型の小動物飼育ケージに関する。
【背景技術】
【０００２】  従来の小動物飼育ケージは、床面がプラスチック等の底がある構造となっている（例えば非特許文献１、図３）。飼育ケージの中にたまる小動物の排せつ物等は定期的に清掃をして除去することを前提としている。
【先行技術文献】
【特許文献】
【０００３】
【特許文献１】特開平１０−１１７６２５
【非特許文献】
【０００４】
【非特許文献１】「ＨＯＥＩペット用品総合カタログ２０１６」、ｈｔｔｐ：／／ｗｗｗ．ｈｏｅｉ−ｃａｇｅ．ｃｏ．ｊｐ／ｐｄｆ＿ｃａｔａｌｏｇ／ＨＯＥＩｃａｔａｌｏｇ２０１６０１／２０１６０１＿ｃａｔａｌｏｇ．ｐｄｆ、ｐ１８
【発明の概要】
【発明が解決しようとする課題】
【０００５】  しかしながら、定期的に清掃ができない場合、また定期的に清掃をしていても気密性の高い室内で飼育する場合、小動物の排せつ物等から悪臭が発生し、小動物および飼育者双方にとって住環境の悪化が生じてしまう。また、ハムスター等は本来地下に巣を作り生活する習性をもつが、プラスチック等の底があるため地下に巣穴を掘ることができない。代わりに飼育ケージ内に巣箱を設置することが多いが、地下で安心して休息できないことによるストレスが短命になる原因ではないかと推測されている。【０００６】  本発明は、小動物飼育において悪臭を低減し、かつ清掃作業の必要性をなくすことで、飼育者の飼育負担と小動物の住環境を改善することを目的とするものである。
【課題を解決するための手段】
【０００７】  観葉植物等の植木鉢の上部に、底のない丸い飼育ケージを設置する。飼育ケージの上部の穴から植物は上部に生育できる。また、土壌の表面に敷材（木材チップなど）を厚く敷きつめると、ハムスター等の地下に巣穴を作る習性をもつ小動物用に地下巣穴を設置もできる。
【発明の効果】
【０００８】  小動物等の排せつ物等に含まれる悪臭の原因となるアンモニアが土壌中に自然に生息する微生物によって硝酸に還元され、さらに植物によって養分として吸収される。また、食べ残し等の有機物も土壌中で分解される。したがって、悪臭は速やかに除去され、ケージの清掃の必要がなくなる。
【図面の簡単な説明】
【０００９】
【図１】本発明の実施形態を示す植木鉢とケージの断面図
【図２】本発明のケージ部分の外観図
【図３】一般的な小動物の飼育ケージ
【発明を実施するための形態】
【００１０】  以下、本発明の実施形態を図１に基づいて説明する。
【００１１】  図１において１は観葉植物等の植物部分であり、室内で生育できる植物を設置する。
【００１２】  ２の植木鉢は、地下に巣を作る小動物を飼育する場合は３５ｃｍ以上の深いものが望ましい。
【００１３】  ３の敷材は飼育する小動物に適したものを使用するが、自然分解するもの（木材チップ、パルプなど）が望ましい。
【００１４】  ４の土壌は植物生育に適したものを使用する。
【００１５】  植物に潅水するために、小動物の生息域は濡れないよう、５のように地下部に直接水が届く潅水装置（底の空いているペットボトル等）を設置する。
【００１６】  地下の巣穴を好む小動物を飼育する際は、敷材を厚くし、６の地下巣の構造を設置しやすいようにする。その際、地下巣の床面は作らない。
【００１７】  植木鉢の内径よりやや小さめの底のない丸いケージを７のように設置する。
【００１８】  以下、本発明の飼育ケージ部分について図２に基づいて説明する。
【００１８】  図２において１は留め金であり、半円形のケージをつなぎ合わせることができる。
【００１９】  ケージを設置する際には、２の部分で植物を挟み込む形にすることで、植物を傷つけず設置できる。
【図１】
2017209094.tif 000003
【図２】
2017209094.tif 000004
【図３】
2017209094.tif 000005
(57)【要約】      （修正有）【課題】蛇及び害虫を田畑や家屋に寄せ付けない方法の提供。【解決手段】上部に薬品を補給する為の蓋付きの開口と、自立させる為の脚を設け、本体部の周囲に臭気の通過穴を設けた容器を用い、蛇や害虫の嫌がる薬品を容器に収納する。【選択図】図１
2017209095.tif 000002
【特許請求の範囲】
【請求項１】
丸又は角型の容器の上部に、忌避薬出し入れ用の、蓋付きの開口を設け、下部に土や砂又はその他の柔らかいものに突き刺して、自立させる為の脚を設け、丸又は角型の容器の側面に、忌避薬の臭気が通過する為の穴を設けた、蛇及び害虫忌避薬用容器
【発明の詳細な説明】
【技術分野】
【０００１】  本発明は、田畑や家屋の回りに、蛇や害虫を寄せ付けないようにする為に、蛇や害虫の嫌がる薬品を収納し、田畑や家屋の周りに固定することが出来る容器である。
【背景技術】
【０００２】  従来の忌避薬は田畑や家屋の周りに、手作業で撒いたり、散布などの方法で行っていた。
【発明の概要】
【発明が解決しようとする課題】
【０００３】  以上に述べた、従来のやり方では田畑や家屋の周りの土に直接、薬品が付着することになり、使用する人に不安を生じさせる欠点があった。【０００４】  本発明は、従来のやり方とは異なり、薬品を収納した容器を、田畑や家屋の周りの任意の位置に固定することが出来るものである。
【課題を解決するための手段】
【０００５】  本発明は、上記の目的を達成するために、上部に薬品を補給する為の蓋付きの開口と、自立させる為の脚を設け、本体部の周囲に臭気の通過穴を設けたものである。
【発明の効果】
【０００６】  本発明の、蛇及び害虫忌避薬用容器は、田畑や家屋の周りの土に直接、忌避薬を付着させる事無く、任意の位置に固定することが出来るものである。
【図面の簡単な説明】
【０００７】
【図１】  本発明の蛇及び害虫忌避薬用容器の側面図
【発明を実施するための形態】
【０００８】  以下、本発明の実施の形態を、図１に基ずいて説明する。
【０００９】  図１において、蛇及び害虫忌避薬用容器１は、容器２の上部に、蓋握り部３が付いた蓋４を設け、下部に自立用の脚５と容器本体の周囲に、複数の穴６を設けたものである。
【００１０】  以上のように構成した、蛇及び害虫忌避薬用容器は、田畑や家屋の周りの任意の位置に固定出来るものである。
【図１】
2017209095.tif 000003
(57)【要約】【課題】集成材でも直交集成板でも大きい板材にするには大掛かりな設備を要するため、限られた工場でしか製造できなかった。【解決手段】集成材と集成材、集成材と直交集成板、無垢材と直交集成板などの接合に両端面をくりぬき、該くりぬいた穴に心棒（剛性のあるものならば何でもよく、例えば鉄材、炭素繊維など）を差し込んで、両端にある樹脂注入口から樹脂を流し込んで固め接合することにより大掛かりな設備を要せず解決できた。【選択図】図１
2017209830.tif 000002
【特許請求の範囲】
【請求項１】
集成材と集成材、集成材と直交集成板、無垢材と直交集成板など木材同士の組み合わせの接合に両端面をくりぬき、該くりぬいた穴に心棒を差し込んで、樹脂注入口から樹脂を流し込んで固め接合することを特徴とする板材。
【発明の詳細な説明】
【技術分野】
【０００１】
本発明は、集成材または直交集成板または無垢材に関する接合技術の分野である。
【背景技術】
【０００２】
従来、集成材では木片を平行に貼り合わせて大きくしていた。直交集成板では集成材で更に強度ＵＰを図ったものであり、これについても木片の長手方向の側面を貼り合わせて大きくした板を交互に直交させて貼り合わせて大きくしていた。
【発明の概要】
【発明が解決しようとする課題】
【０００３】
集成材でも直交集成板でも大きい板材にするには大掛かりな設備を要するため、限られた工場でしか製造できなかった。
【課題を解決するための手段】
【０００４】
集成材と集成材、集成材と直交集成板、無垢材と直交集成板など木材同士の組み合わせの接合に、両端面をくりぬき、該くりぬいた穴に心棒（剛性のあるものならば何でもよく、例えば鉄材、炭素繊維など）を差し込んで、樹脂注入口から樹脂を流し込んで固め接合することにより大掛かりな設備を要せず解決できた。
【発明の効果】
【０００５】
集成材と集成材、集成材と直交集成板、無垢材と直交集成板など小さく製造し、その製造したもの同士を前記心棒を用いて接合することにより、大きな板材にすることができる。
【図面の簡単な説明】
【０００６】
【図１】心棒を使って集成材または直交集成板または無垢材を大きくした板材
【図２】心棒を接合するため集成材または直交集成板または無垢材をくりぬいた断面図
【発明を実施するための形態】
【０００７】
図１には心棒を使って集成材または直交集成板または無垢材を大きくした板材が示されており、これを製造するためには図２に示すように集成材または直交集成板または無垢材１にくりぬいた穴２を設け、その穴に心棒３を差込み集成材または直交集成板または無垢材１の両端をその端面で揃え樹脂注入口４から樹脂を流し込み固めて図１のような板を完成させる。
【符号の説明】
【０００８】
１    集成材または直交集成板または無垢材
２    くりぬいた穴
３    心棒
４    樹脂注入口
５    樹脂排出口
【図１】
2017209830.tif 000003
【図２】
2017209830.tif 000004
(57)【要約】      （修正有）【課題】チェーン外れを無くして、走行時の安全性を向上させるとともに、復旧時の手の汚れ、時間の無駄を無くし、また機械のメンテナンスの不得手な人は修理店や販売店に持ち込む等、人に頼っていた修理を不要とする。【解決手段】歯車（ギヤ）３と車体（フレーム）の間に外れ防止板を装着する。外れ防止板は、自転車の後部車軸４に嵌めこんだり、ギヤ本体にネジ止めまたは接着したり、車体（フレーム）に取付部材を介して挟んで取り付けるなどして固定する。【選択図】図３
2017129261.tif 000002
【特許請求の範囲】
【請求項１】
歯車（ギヤ）外側に装着する外れ防止板。
【発明の詳細な説明】
【技術分野】
【０００１】  この発明は自転車の後部駆動伝達軸部のチェーンの外れ防止のための装置に関するものである。
【背景技術】
【０００２】  従来から、自転車のチェーンの外れは走行時の課題事項であった、特に悪路・坂道・交差点での一旦停車時などに発生して、安全走行上も問題になり、そのたびに復旧に手を煩わしていた、特に変則装置付きは切り替え時に、発生の確率が多かったが、この装置により皆無に近い状態に改善できる。
【先行技術文献】
【特許文献】
【０００３】
【発明の概要】
【発明が解決しようとする課題】
【０００４】（１）、後輪部歯車（ギヤ）からのチェーンの外れが発生する。本発明は以上の欠点を解決する為のものである。  チェーンの外れはチェーンの張り方不良、変速機の調整不良は別として、悪路・変速の為のギヤ操作・段差走行・転倒時などに発生して利用者を困らせています、復旧は素人・子供には無理で、何とかしようとすれば手は汚れる、またはケガの恐れさえあります、本発明はこのようなチェーン外れを防止する為のものです。
【課題を解決するための手段】
【０００５】  変速機付きの場合外れを防止するために歯車（ギヤ）の最高側には外れ防止が付いているものが有りますが、最小側には外れ防止が付いていません、これは歯車の最少側に装着して外れを防止するものです、組立時に軸部に貫通して取り付けるものと、既に走行している自転車については切込みタイプにして、機種によっては差し込むだけでの取付けも可能にできます。以上の部材をチェーン外れ防止板とします
【発明の効果】
【０００６】  外れ防止板を装着することにより、チェーン外れを無くして、走行時の安全性が向上して、復旧時の手の汚れ、時間の無駄が無くなり、機械のメンテナンスの不得手な人は修理店や販売店に持ち込むか、人に頼っていた修理が不必要になります。
【図面の簡単な説明】
【０００７】
【図１】側面図は通常時のチェーンが最速の状態である。（最小側にある）
【図２】側面図はチェーンが外れた状態である。
【図３】側面図はチェーンが通常状態で、外れ防止板が装着された状態である。
【図４】斜視図は切込みを施して後付けが可能にした防止板を表します。
【図５】斜視図はセンター穴を穿孔した防止板を表します。
【発明を実施するための形態】
【０００８】以下本発明を実施するための形態について説明する。自転車の後部車軸に嵌めこんだり、ギヤ本体にネジ止め、接着したり、車体（フレーム）に取付部材を介して挟んで取り付けるなどして固定する。  材料としては、金属または靭性のある樹脂が適応しています。使用中の自転車は、回転歯車本体と車体（フレーム）との隙間に差し込んで装着することも可能です、（この場合転倒等の時に外れ防止板が脱落する恐れもありますが、差し込むだけで簡単に復旧できます。）  既存の自転車に対応する為にも、厚さの種類を揃えると便利です。
【符号の説明】
【０００９】１、  内側（最高側）２、  外側（最小側）３、  歯車又はギヤ４、  シャフト又は軸  以上出来るだけ、一般的言葉で表しています。
【図１】
2017129261.tif 000003
【図２】
2017129261.tif 000004
【図３】
2017129261.tif 000005
【図４】
2017129261.tif 000006
【図５】
2017129261.tif 000007
(57)【要約】【課題】現在一般的に使用されている加熱調理器の上部に設置されているシロッコファンタイプのレンジフードの場合、その排気する有害ガスに含まれる油煙や埃が、標準装備の金属素材のフィルターだけでは空隙が大き過ぎるために、フィルター部分で充分に除去されない。除去されなかった油煙や埃は、レンジフード内部に侵入し、ファンのブレードに付着して形状や重量が変化する事に因り、レンジフードの排気能力が阻害される。【解決手段】従来のレンジフードに使用されている金属素材のグリスフィルターと不織布などの繊維素材のフィルターを組み合わせて多層にする事で、従来の金属素材のみのグリスフィルターより、より多くの油煙や埃をグリスフィルターの金属部分と繊維部分で軽減させる事ができ、レンジフード内部へ侵入する油煙や埃を軽減させる事で、レンジフードの所定の換気能力を長期間維持できる。【選択図】図１
2017129343.tif 000002
【特許請求の範囲】
【請求項１】
フィルター部分に、不燃材料である空隙を有する金属材と不織布等の微細な間隙のある繊維材を重ね、性質の異なる材料を多層に構成したレンジフード用グリスフィルター。
【発明の詳細な説明】
【技術分野】
【０００１】    本発明はレンジフードのグリスフィルターの材料と構造に関する。
【背景技術】
【０００２】    レンジフードは調理時に発生する有害ガスの排気や、調理過程で発生する油煙を排出する為に使用されるが、清掃する事が困難な通風路の奥部に油煙の汚れが出来るだけばないように、レンジフード排気通風路の前部にグリスフィルターを使用している。
【先行技術文献】
【特許文献】
【非特許文献】
【発明の概要】
【発明が解決しようとする課題】
【０００３】    従来のレンジフードメーカーの標準仕様のグリスフィルターは、エキスパンドメタルを重層にしたものや一層のパンチングメタル等の空隙を有する金属素材を使用し、排気過程で油煙が金属のグリスフィルターで冷却され液化する事で、油煙がレンジフード内部に侵入する事を軽減させようとするものである。
しかし、エキスパンドメタルやパンチングメタルのフィルターは空隙が大きい為、油煙の一部はフィルターを通過してしまい、フィルターの先のレンジフード奥部で液化して内部を汚してしまう。
また、不織布を使用したグリスフィルターは、金属のグリスフィルターより空隙が詰まっている為、透過してレンジフードの内部に至る油煙の量を軽減する事ができるが、加熱調理器からの異常燃焼の炎がグリスフィルターの位置にまで達する様な場合、不織布に付着した液化した油脂に引火する可能性がある等の問題がある。
【課題を解決するための手段】
【０００４】    本発明は、グリスフィルターを異なるフィルター素材で多層構造にし、加熱調理器に近い一層目にエキスパンドメタルやパンチングメタルの金属素材を使用し、二層目に不織布等の繊維素材を使用して、各素材のろ過の特性を利用して上記課題を解決する。
【発明の効果】
【０００５】    本発明を利用した台所用レンジフードは、加熱調理器から発生する有害ガスを排気する過程で、調理で発生する油煙や匂いを含んだ気体を金属素材のフィルターと繊維フィルターでろ過し、油煙のレンジフード奥部への侵入を軽減させる。
また、加熱調理器からの異常燃焼の炎がグリスフィルターの位置に達する時は、炎は二層目の繊維素材のフィルター部分に当たる前に、一層目の金属素材のフィルター部分に当たり、金属の持つ比熱の効果で冷却される為に、繊維素材に付着した油分の引火温度に達しにくく、引火の可能性を小さくする事ができる。
【発明を実施するための形態】
【０００６】    本発明の複合型グリスフィルターは、図１に示される構造で、図２のグリスフィルター本体４として加熱調理器の上に設備されるレンジフードに使用する。
グリスフィルター本体４は、加熱調理器の最も近くに面する側にエキスパンドメタルやパンチングメタルなどの空隙を有する金属材１を置き、金属材１の背部に不織布などの微細な空隙を有する繊維材２を配置した多層構造をしており、シロッコファンを装備した調理用レンジフードに使用されるのに最も適している。
空隙を有する繊維材２は、金属材１と繊維材の固定具３で挟まれ、グリスフィルターの素材固定枠５から外れないように固定する。
【図面の簡単な説明】
【０００７】
【図１】本発明の構造図である。
【図２】本発明の利用状態を表すグリスフィルターの外観図である。
【符号の説明】
【０００８】  １空隙を有する金属材
２空隙を有する繊維材
３繊維材の固定具
４グリスフィルター本体
５グリスフィルターの素材固定枠
【図１】
2017129343.tif 000003
【図２】
2017129343.tif 000004
(57)【要約】      （修正有）【課題】シンプルな回路と簡単な操作で高周波領域のインピーダンスを測定できるインピーダンス測定装置を提供する。【解決手段】高周波領域におけるアンテナの入力インピーダンスおよび部品のインピーダンスを測定するために、インピーダンスＲが既知の素子２と未知のインピーダンスＺｘの被測定物３の直列に接続し、その両端に高周波信号Ｖｉｎを印加する。直列回路に電流Ｉが流れ、それぞれの素子の両端電圧がＶｃａ，Ｖａであるとすると、被測定物の未知のインピーダンスＺｘは、被測定物３の両端電圧Ｖａと既知の素子２の両端電圧Ｖｃａとの比に、既知の素子のインピーダンスＲを乗算することにより求まる。【選択図】図１
2017129434.tif 000002
【特許請求の範囲】
【請求項１】
既知の素子と被測定物に加わる電圧を電流計と抵抗に加えて測定するインピーダンス測定装置
【請求項２】
既知の素子と被測定物に加わる信号電圧を直流電圧に変換した後，それらの電圧を電流計と可変抵抗に加えて，それらの電圧比によってインピーダンスの大きさを測定する装置
【請求項３】
上記のシステムにおいて既知の電圧を電流計と可変抵抗に加える時，押しボタン式スイッチを押した状態で校正（可変抵抗の調整）を行うインピーダンス測定装置
【発明の詳細な説明】
【技術分野】
【０００１】
本発明は、電子部品やアンテナのインピーダンスの高周波測定装置に関するものである．
【背景技術】
【０００２】
アンテナの入力インピーダンス，部品のインピーダンスの高周波領域において簡単に測定できる方法が求められている。これらを測定する市販の測定器としてベクトルネットワークアナライザやインピーダンスアナライザがあるが，その構造は複雑で価格が高価であり，それを使うのは一部のユーザに限られていた。
【先行技術文献】
【特許文献】
【０００３】
【特許文献１】特開平09-304454  号公報
【発明の概要】
【発明が解決しようとする課題】
【０００４】
本発明では，シンプルな構造で価格が安く，簡単な操作で高周波領域のインピーダンスを測定する装置を提案する。
【課題を解決するための手段】
【０００５】
図１は，各素子に加わる電圧を測定する回路である。既知の抵抗Rと未知の部品（アンテナ）Zxを直列に繋ぎ，そこに信号vinを加える。
a点に流れる電流をIとする。測定するインピーダンスZXが複素インピーダンスの場合，I, Vca, Vaは複素数となり，それぞれZX, I, Vca, Vaで表される。そしてZXは以下の式で求めることができる。ここでRはブリッジ回路で使う抵抗（50Ω）である。
2017129434.tif 000003
(1)
2017129434.tif 000004
(2)
複素インピーダンスZXの大きさは，絶対値|ZX|で表され，以下の次の式で求まる。
2017129434.tif 000005
(3)
Rは既知であるため，複素インピーダンスの大きさ|ZX|は，Vcaの大きさ|Vca|とVaの大きさ|Va|を測定することによって求めることが可能である。また，|Vca|と|Va|は，検波回路によって測定できる。
電流計を使ったインピーダンス|ZX|の表示
これ以降，各端子間の信号の振幅電圧 |Va|, |Vca|,は，VA， VCAと表す。
図2は，インピーダンスを電流計で表示する回路である。100uAの電流計にボリュームVR3が接続され，そこに加わる電圧は，スイッチSW3によりVCAとVAに切り替えることができる。その際に流れる電流をICA，IAとする。インピーダンス|ZX|は，式(3)より以下のように表すことが出来る。ここでRVR3は，ボリュームVR3の抵抗値である。
2017129434.tif 000006
(4)
ICAは，50μAになるようVR3によって設定される。またRは，SWRブリッジの抵抗50Ωである。これらの条件を式(4)に代入すると，以下の簡単な式になる。
2017129434.tif 000007
(5)
式(5) は，電流値IAはインピーダンス|ZX|と等しいことを示す。インピーダンス値を読む際は電流計の単位を[μA]より[Ω]に変換する。
【発明の効果】
【０００６】
測定条件
測定周波数は7MHzである。
初めに，評価素子が抵抗の場合を測定する。抵抗値は，10〜220Ωの範囲で変化させる。
次に評価素子が複素インピーダンスの場合を測定する。抵抗50Ωとリアクタンスを直列接続して複素インピーダンスを構成し，リアクタンスは，−50〜50Ωの範囲で変化させる。
【０００７】
抵抗の測定結果
抵抗値  対  |Zx|
図3は，抵抗値対|Zx|の測定結果である。製作品の測定結果は，150Ω程度までは，理論値とほぼ一致する。抵抗値が大きくなると製作品は，5%程度小さく測定される。
【０００８】
複素インピーダンスの測定結果
リアクタンス  対  |Zx|
図4は，50Ωに接続されたリアクタンス対|Zx|の測定結果です。リアクタンス±30Ω程度までは理論値とほぼ一致する．±50Ωでは，誤差は5%程度に増える．
【図面の簡単な説明】
【０００９】
【図１】各素子に加わる電圧を測定する回路
【図２】インピーダンスを表示する回路
【図３】抵抗値  対  |Zx|  の測定結果
【図４】50Ωに接続したリアクタンス値  対  |Zx|  の測定結果
【図５】実施例の図
【実施例】
【００１０】
図５は，実施例の図である。
P2は，コネクタで，ここに被測定素子を取り付ける。R2とR4は，既知の抵抗である。これらに加わる電圧は，検波され，VF補正回路で，検波でドロップしたダイオードの順方向電圧が補正されて表示回路に加わる。
【産業上の利用可能性】
【００１１】
アンテナ測定やアンテナ調整の装置の利用が考えられる。
【符号の説明】
【００１２】
１    測定用信号
２    既知の抵抗
３    被測定素子
４    切り替えスイッチ
５    ボリューム（可変抵抗）
６    電流計
【図１】
2017129434.tif 000008
【図２】
2017129434.tif 000009
【図３】
2017129434.tif 000010
【図４】
2017129434.tif 000011
【図５】
2017129434.tif 000012
(57)【要約】      （修正有）【課題】安全で自然環境に影響を与えず、きわめて経済的、柔軟かつ安定的な発電を提供する。【解決手段】円盤４の外周辺の複数個所に重量を付加した円錐体５等を固定して取り付け、円盤を気体と液体の充満した室１に設置すると、重力と浮力の力により、円盤は回転する。この回転エネルギーを取り出すことにより発電するシステムである。回転盤及び円錐体が回転する中で、気体と液体が混合しないように緩衝室８を設け、圧搾空気を充満するとともに、必要に応じ高速シャッターを設備する。【選択図】図１
2017129109.tif 000002
【特許請求の範囲】
【請求項１】
回転軸を有し、自立して回転できる回転体に、複数の重量物を固定し、気体と液体を別々に充満した２つの室を通過させると、回転体は前記重量物にかかる重力と浮力の作用により回転する。本システムはこの回転エネルギーを取り出して、発電するものである。
【請求項２】
前記気体は、空気（または他の気体）、液体は、水（または他の液体）とする。
【請求項３】
前記重量物は、重量と容積を有し中空で密閉した容器とし、回転体の外周辺に固定して設置する。
【請求項４】
前記重量物を固定した回転体が、液体と気体の充満した室の境界を通過するとき、液体と気体の室の境界に相互の混合が起こりにくいように、各々の室を独立させるとともに境界には、密封しかつ圧力を活用した「緩衝室  １」と更に加えて高速シャッターを設備した「緩衝室  ２」を設ける。
【請求項５】
前記高速シャッターは、回転体に固定された重量物が、「緩衝室  ２」に侵入し、排出するとき、タイミングを合わせて高速で開き、閉まり「緩衝室  ２」へ気体及び液体の流入、流出を防止する。
【請求項６】
装置は、回転体の半径、固定設置する重量物の重力、体積およびその個数、使用する気体と液体の種類等により、大型電力会社用から家庭用まで作製できる。
【発明の詳細な説明】
【技術分野】  この発明は、自然界に存在する重力と浮力を活用して、回転盤の外周辺に円錐体等を固定設置して、空気と水の中を通過させることで、回転盤を回転させ、その回転力により発電機を回し、発電を行うことに関するものである。
【背景技術】  現在の発電方式には燃料を使用する火力発電、原子力発電のほか、自然を活用する水力発電、太陽光発電、風力発電、地熱発電等がある。
【先行技術文献】
【０００１】  特許公開２００２−２６６７４４
【０００２】  特許公開２００８−９５６７６
【０００３】  特許公開２００２−３１７７
【発明の概要】
【発明が解決しようとする課題】
【０００４】  現在の火力発電方式には地球環境への悪影響や高価格、多量の燃料を必要とするなどの難点があり、原子力発電方式には放射能漏れに対する人体への安全性の問題がある。また、自然を活用する現在の発電方式には、発電が火力方式等に比べ大量の発電が困難なこと、発電時間帯が限られること、適度の風力が必要となるなど自然現象に左右され、安定性や継続性に問題がある本発明は以上のような課題、欠点をなくすために考案されたものである。
【課題を解決するための手段】
【０００５】  図１に示すような回転盤を、空気と水を満たした２つの室の中間に設置し、回転盤は容易に回転できる構造とする。また、回転盤の外周辺の複数個所に回転盤を駆動する円錐体等を固定して配置する。（本文でいう円錐体等とは、重力と容積を有し中空で密閉した同じ円錐体２個を、底部どうしを接合して一体化したものをいう、以下本文では、円錐体という。）これにより左半分の回転盤は、空気の室の中で円錐体の重力により、下向きの力が働き、また右半分の回転盤は、水の室の中で円錐体の浮力（円錐体の浮力から円錐体の重力を差し引いた分）により、上向きの力が働く。この回転盤にかかる円錐体の重力と浮力により、回転盤は左回転し、回転は継続する。【０００６】  図１に示すように、空気の室と水の室の境界に緩衝室１を作り、中に圧搾空気を充満するとともに、回転盤が回転しても水が空気の室へ混入しにくい構造とする。また、回転盤に固定設置した円錐体が、下部の空気と水の室の境界を通過するときは、緩衝室２を設置し、圧搾空気を充満するほか円錐体が境界を通過する動きに合わせて素早く開閉するシャッターを設け、水漏れを防止する。【０００７】  回転盤の半径、固定設置する円錐体の重力と体積、２つの室に充満させる気体と液体の種類等により回転盤の回転エネルギーをコントロールする。更に別途設置する回転スターター、ブレーキにより回転速度及び回転力をコントロールする。【０００８】  前記回転盤の中心には、回転エネルギーを取り出し発電機へ回転力を伝達する中軸機構を設備し、発電する。本発明は、以上の構成よりなる発電システムである。
【発明の効果】
【０００９】  本発明の発電システムでは、燃料を必要とせず、自然の原理（重力と浮力）の活用によって、運転経費がほとんど不要となる等、極めて経済的な発電が可能となる。また、いつでも需要に基づいた電力量を、柔軟かつ安定的に発電し供給できる。なお、発電にあたって使用する液体と気体を、「水と空気」と選定すれば、排出物は少量の水のみであり、自然環境に全く影響を与えないクリーンで安全性の高い発電システムとなる。  さらに、電力会社用の大規模システムから、社内システム用の中規模システム、家庭用の小規模なシステムまで、多様な作成が可能である。
【図面の簡単な説明】
【００１０】
【図１】本発明の一実施の形態にかかる発電システムの正面図の説明図である。
【図２】同発明システムの側面図の説明図である。
【発明を実施するための形態】
【００１１】  以下、本発明を実施するための形態について説明する。  （１）軽量で強靭な金属等で作成した円盤の、外周辺の複数個所に重量物を付加しかつ相当の容積を有する円錐体を固定して等ピッチで設置する。  （２）円盤は容易に回転できる構造としその中心には、円盤の回転エネルギーを取り出し発電機へ回転力を伝達する中軸機構を設備する。  （３）中軸機構には前記機能のほか、円盤を支え自立し、倒れないで継続して円盤が回転し回転力が取り出し可能な構造とする。  （４）図１に示すように、回転盤の左右には、円盤が十分収容可能で回転が可能な２つの接した室を設け、１つの室には空気を２つ目の室には水を満たす。２つの接した室相互は互いに独立しており、水漏れはない構造とする。  回転盤を２つの室の中間に図１のように設置する。  （５）図１に示すように、回転盤が水と空気の接点を回転し通過するときは、相互の接触点に緩衝室１を設け、圧搾空気を充満させ水漏れ防止をするが、円盤が回転した時も、水漏れを防止する機構とする。とくに円錐体が回転通過する下部の接触点には、緩衝室１の機能に加え円錐体の通過に合わせ、高速で開閉するシャッターを設備して水漏れを防止する緩衝室２を設置する。  （６）円盤の半径、円盤に設置する円錐体の個数、円錐体の重力と体積、使用する気体と液体の種類等によって回転速度や取り出すエネルギーを変化させることができる。これにより、規模や使用目的により大型から家庭用までの柔軟性のある発電機が製作できる。また本装置には、回転盤のスターターおよびブレーキを設備する。
【図１】
2017129109.tif 000003
【図２】
2017129109.tif 000004
(57)【要約】      （修正有）【課題】船舶を前進させるときの摩擦抵抗、造波抵抗、粘性抵抗等を減少させ、推進効率を向上させる。【解決手段】前面部で流速を増加させ、側面や後面部で圧縮した空気を微細な泡として水面下に噴出させることにより、前面部で動圧を増加させて前進方向の妨げになる静圧を減少させ、側面では摩擦抵抗を削減し、後面部では、摩擦と粘性抵抗の減少と後面部に接する流体密度と流速を減少させることにより、後面部に働く前進方向の静圧を増加させることで船舶の推進効率を向上させることが出来る。【選択図】図３
2017149189.tif 000002
【特許請求の範囲】
【請求項１】
船舶の船体で、単胴船においては船体水面下で前方に投影面積を有する面（以下「前面部」という。）の両側に、進行方向に平行で鉛直に設置した消波整流板を備え、自ら作った波を船側に蓄えて流速を増加させ、船体水面下で後方に投影面積を有する面（以下、「後面部」という。）の直前や、側面（前面部、後面部以外の面）に加圧した空気を微細な噴気口から水中に泡として噴出する機能を有した船体。
【請求項２】
船舶の船体で、双胴船においては船体外側の前半を進行方向に平行で鉛直平面として、内側に膨らみを持つ構造の舳先として二つの船体の間に波を蓄えて前面部での流速を増加させ、側面や後面部に加圧した空気を微細な噴気口から水中に泡として噴出する機能を有した船体。
【請求項３】
請求項１、及び請求項２において、前面部がある流路内に推進器を設置して前面部の流速を増加させる機能を有した船体。
【発明の詳細な説明】
【技術分野】
【０００１】
船舶を推進する効率を向上させる技術に関する。
【背景技術】
【０００２】
船舶を進ませるときに、様々な抵抗がある。
【０００３】
大きく分けて摩擦抵抗、造波抵抗、粘性抵抗が広く知られている。
【０００４】
摩擦抵抗を減少させるために、空気の泡を船体に触れる水の中に放出するマイクロバブル技術や、造波抵抗を減少させるために球形船首（バルバスバウ）を採用するなどの技術が用いられている。
【先行技術文献】
【特許文献】
【０００５】
登録番号  ３６７１３３０。
【発明の概要】
【発明が解決しようとする課題】
【０００６】
ところが、マイクロバブルを用いるとその量や、空気を噴出す位置によっては推進効率の低下や、推進器そのもの損傷などの問題もある。
【０００７】
球形船首を用いても、波を全く消し去るには至らない。
【０００８】
船舶は、他の運搬手段に比べてそれほど効率が高いとは依然言い難い。
【０００９】
前述の特許文献等のように、船体の前面部で、単胴船においては船体の両側に消波整流板を設けて自ら作った波を一時船体の側部に蓄え、波（位置エネルギーを持つ）から流れ落ちる水の流速を上げ、また双胴船においては、外側は前半を進行方向に平行で鉛直な平面状に、内側に膨らみを持った船体形状とし、両側の船体の間に一時蓄えられた波を流速に代えることにより、船体前面部と後面部で船体に触れる流体の相対速度に差を持たせる。
またあるいは、これらの、前面部がある流路に推進器を設けるなどの方法を用いて、前面部の流速をあげる。
【００１０】
これらの方法により船体の周りで働く静圧を前面部で小さく、後面部で大きくさせて船体の前進力とすることができる。
【００１１】
ところがこの技術は、前面部で増加させた流速に引きずられる形で後面部の流速も全く同じではないにしてもある程度加速されてしまう。
結果としては、前面部で加速したことがかえってあだをなすことになる。
前面部と後面部との動圧差（に左右される静圧差）をさらに大きくさせる方法はないかと、実験する中で以下の方法に至った。
【課題を解決するための手段】
【００１２】
本発明においても、前面部では単胴船においては船体両側に消波整流板を設け、整流板と船体の間に波を保持し（図１）、双胴船においては船体形状を外側は前半を平行な鉛直平面状にし、内側に膨らみを持った船体形状として波を作ったエネルギーを前面部の流路での速度に代える（図２）。
またあるいは、これらの、前面部がある流路に推進器を設けるなどの方法を用いて、前面部の流速をあげる（図３）。
【００１３】
一方、後面部に接する面が始まる点で、ポンプで加圧した空気を船体側水中に細かい泡として噴出を行い（例えば、マイクロバブルのように）、後面部が接する流体の密度を減少させると同時に、流速を減少させる。（図１、２、３）
【００１４】
また、この空気の噴出を行うのは、推進器を前面部に配置した船体においては後面部が始まる場所だけでなく、船体最先端の後面部が属する流路側でも、あるいはまた前面部が終了し流れに平行になる側面を有する船体ではその平行な面が始まる場所、それらの全ての場所でも行うと効果を生じる。
【発明の効果】
【００１５】
前面部と後面部に働く圧力は、ベルヌーイの定理により、（数１）のように表される。
前面部
Ｖｚ  ；流速
ρｚ  ；密度
Ｐｓｚ；静圧
1/2×ρｚ×Ｖｚ×Ｖｚ；動圧
後面部
Ｖｋ  ；流速
ρｋ  ；密度
Ｐｓｋ；静圧
1/2×ρｋ×Ｖｋ×Ｖｋ；動圧
とすると、
（数１）1/2×ρｚ×Ｖｚ×Ｖｚ+Ｐｓｚ＝1/2×ρｋ×Ｖｋ×Ｖｋ+Ｐｓｋ
【００１６】
つまり、後面部が受ける静圧と前面部が受ける静圧の差は、
Ｐｓｋ−Ｐｓｚ＝1/2×（（ρｚ×Ｖｚ×Ｖｚ）−（ρｋ×Ｖｋ×Ｖｋ））
となり、
前面部と後面部が受ける静圧の差は空気混入により密度低下と流速の二乗の積の差になるため、空気混入による密度の低下と流速の低下の二乗、併せて三乗分の影響を受ける。
仮に空気を5％混入すると、そのときの圧力差は空気を混入しないときに比べて14％も増加することになる。
【００１７】
しかも、後面部の速度も前面部の流速に引きずられるとは言っても、おのずとその平均流速は前面部より元々低いのである。
【００１８】
その上、双胴船においては空気混入によって外側でも流体との摩擦抵抗を減少させ、単胴船でも双胴船でも後面側の粘性抵抗も摩擦抵抗も減少させる効果を生ずる。
【００１９】
この前面部と後面部の面に働く力は、その全ての面で働く力の和であるので、全体としては大きな力となる。
【００２０】
請求項３において、推進器を前面部の属する流路内に配置することにより推進効率の低下やキャビテーションによる推進器そのものへ損傷の恐れもなくなる。
【図面の簡単な説明】
【００２１】
【図１】単胴船に進行方向に平行で鉛直な消波整流板を付加し、後面部に遷移する位置に空気噴出の吹き出し口を付加した平面図Ａ及び側面図Ｂ。
【図２】双胴船の形状を、外側は前半を進行方向に平行な鉛直平面状にし、内側を膨らませ、後面部の直前、及び後面部を含む流路の先端、及び前面部が終了し平行側面が始まる場所に空気噴出の吹き出し口を付加した船体の平面図Ａ及び側面図Ｂ。
【図３】図２の前面部に面する流路に推進器を付加した、船体の平面図Ａ及び側面図Ｂ。
【符号の説明】
【００２２】
Ａ  ；船体
Ｂ  ；消波整流板
Ｃ  ；単胴船の場合は、消波整流板保持部材
；双胴船の場合は、両船体の支持部材
Ｄ  ；波
Ｅ  ；空気噴出口
Ｆ  ；水面
Ｇ  ；推進器
Ｈ  ；推進器保持部材
【図１】
2017149189.tif 000003
【図２】
2017149189.tif 000004
【図３】
2017149189.tif 000005
(57)【要約】【課題】紙コップの底面に胴体と高台部からなる指掛けリブを設け、飲用の時に容器収納ケースから該紙コップが確実に複数個かさなる事がなく１個ずつ連続的かつ効率的に取り出すことのできる紙コップを提供する【解決手段】紙コップが底高になる様に、側壁面がコップ底面から下方へ伸びた高台部を備え、高台部の内壁面において、コップ底面から指先の厚さ相当の間隔地点に、内壁面に直交的に、約１００ｍｍ幅のつば状に突き出た指掛けリブを設けたことを特徴とする指掛けリブ付き紙コップ。【選択図】図１
2017149489.tif 000002
【特許請求の範囲】
【請求項１】
指掛けリブを紙コップの底面に一体化して設けたことを特徴とする指掛けリブ付き紙コップ。
【請求項２】
指掛けリブを紙コップの底面から約１５０ｍｍの間隔の下部に設けたことを特徴とする請求項１記載の指掛けリブ付き紙コップ。
【請求項３】
指掛けリブのリブを約１００ｍｍ幅のつば状の指掛けリブを周回して設けたことを特徴とする請求項１記載の指掛けリブ付き紙コップ。
【発明の詳細な説明】
【技術分野】
【０００１】  本発明は、紙コップの胴体と一体化の指掛けリブを人差指と親指の指先で引っ掛けて又はつまんで紙コップを縦長の円筒型容器収納ケースから紙コップを取り出す際、同時に複数個が一緒に重さなってしまうことが無く、１個ずつ確実に真下へ容易に連続的かつ効率的に曳き降ろし取り出すことが出来る紙コップに関するものである。
【背景技術】
【０００２】  既存の紙コップは紙コップの胴体の下部を手指で握って、該縦長の円筒型容器収納ケースから真下へ曳き降ろして取り出す方法が広く利用されている。
【先行技術文献】
【０００３】
【特許文献１】実用新案登録第３１３５２３５号公報
【特許文献２】特開２０１４−０７６８２１号公報
【特許文献３】特開２０１３−０２３２８９号公報
【特許文献４】特開平０６−０１６２１９号公報
【発明の概要】
【発明が解決しようとする課題】
【０００４】  そのため、  次の様な問題点があった。
（イ）特許文献１に示される先行技術は、紙コップを積み上げた場合、他の紙コップとの間に間隔が減少し全体のスペースが短縮して、輸送コストの低減を目的としおり、生産コストを低減させる事は出来ないのである。
（ロ）特許文献２に示される先行技術は、紙コップを大量に積み重ねた保管スペースの節約と輸送コストの低減を目的としており、使用する際に未使用の紙コップが発生して無駄に破棄することを防ぐ事は出来ないのである。
（ハ）特許文献３に示される先行技術は、紙コップの回収装置であり、紙コップが複数個重なることなく確実に一個ずつ下方へ曳き取り出す事は出来ないのある。
（ニ）特許文献４に示される先行技術は、紙コップの握り把持の強度を高め、安全に飲料が飲みやすくするため筒状握り部を紙コップの上部に設けたもので、紙コップを下方へ曳き取り出す事は出来ないのである。
本発明は、これらの問題点を解決するためになされたものである。
【課題を解決するための手段】
【０００５】  該紙コップの胴体と高台部からなる紙コップに指掛けリブを設け、該指掛けリブに該紙コップの底面から下部に約１５０ｍｍの間隔で１００ｍｍの幅のつば状の指掛けリブを周回して設け、該指掛けリブに指先を挿入して指先の指腹でつまんで又は引っ掛けって、この取手の機能を介して該指掛けリブ付き紙コップを真下へ曳き降ろして取り出す。
【発明の効果】
【０００６】  該縦長の円筒型容器収納ケースから該紙コップを真下へ曳き降ろして取り出す際、該紙コップが確実に密着又は重ならず１個ずつ取り出せて無駄が皆無になり、該紙コップの生産コストと販売コストを確実に減らすことができる。
また、子供・高齢者・身体障害者が薬局や病院や商業施設や学校・オフィスなどで自販機や該縦長の円筒容器収納ケースが設置された施設で、重なりあった紙コップが該紙コップに取って代わって使用されることで大変便利で身体の負担が減少される。
【図面の簡単な説明】
【０００７】
【図１】本発明の外観斜視図
【図２】本発明の断面図
【図３】本発明の底面図
【図４】本発明を縦長の円筒型容器収納ケースの中に収納された状態図
【図５】本発明の実施において指掛けリブを指先で引っ掛け、又はつまんで曳き取り出す状態図
【発明を実施するための最良の形態】
【０００８】  以下、本発明を実施するための最良の形態について説明する。
（イ）紙コップ（１）の胴体（２）と指掛けリブ（４）を一体型に設ける。
（ロ）概紙コップ（１）の胴体（２）と底面（３）に突き出た高台部（７）に該指掛けリブ（４）を設ける
（ハ）該指掛けリブ（４）と該底面（３）の間に約１５０ｍｍの間隔を設ける。
（二）該指掛けリブ（４）のつば状の該指掛けリブ（４）を約１００ｍｍの幅に設ける。
本発明は、以上のような構成である。
これを使用するときは、該指掛けリブ（４）と該紙コップの底面（３）の間に指先を挿入して指腹で該指掛けリブ（４）をつまんで又は引っ掛けて、この取手の機能を介して真下へ曳き降ろして取り出す。
尚、紙を基材とする積層材からなる容器を積み重ねて使用する場合についても全く同様に確実に一個ずつ取り出すことができる。
【符号の説明】
【０００９】１紙コップ本体
２胴体
３底面
４指掛けリブ
５高台部
６親指
７人差指
８容器収納ケース
【図１】
2017149489.tif 000003
【図２】
2017149489.tif 000004
【図３】
2017149489.tif 000005
【図４】
2017149489.tif 000006
【図５】
2017149489.tif 000007